(57)【要約】  【課題】  静電容量の変化に基づいてオン／オフを検知すると共に、連続する妨害電波が発生しても、誤検出が少ない入力装置を提供する。  【解決手段】  複数のスイッチ電極１３〜１６における静電容量の変化に基づいてオン／オフ状態を判定する制御回路１８と、スイッチ電極１３と制御回路１８とを接続するスイッチ配線２１〜２４と、スイッチ配線２１〜２４とは独立して設けられ制御回路１８に接続される電波検知用配線２５、２６とを備え、制御回路１８は、電波検知用配線２５、２６において電波を検出すると、オン／オフ状態の検出を制限する。【選択図】  図２
2008092330.tif 000002
【特許請求の範囲】
【請求項１】
スイッチ部と、
前記スイッチ部における静電容量の変化に基づいて前記スイッチ部におけるオン／オフ状態を判定する制御回路と、
前記スイッチ部と前記制御回路とを接続するスイッチ配線部と、
前記スイッチ配線部とは独立して設けられ前記制御回路に接続される電波検知用配線部とを備え、
前記制御回路は、前記電波検知用配線部において電波を検出すると、前記スイッチ部におけるオン／オフ状態の検出の少なくとも一部を制限する入力装置。
【請求項２】
前記制御回路は、前記スイッチ部における充放電時間の平均値に基づいてベースラインを定め、前記スイッチ部における充放電時間から前記ベースラインを減じたデルタ値を求め、前記デルタ値が、予め設定されたフィンガースレッシュ値を上回るとき、オン状態を検出する請求項１記載の入力装置。
【請求項３】
前記スイッチ部は、複数のスイッチ電極を有し、
前記スイッチ配線部は、前記複数のスイッチ電極のそれぞれを前記制御回路へ接続する複数のスイッチ配線を有し、
前記電波検知用配線部は、互いに特性が異なる複数の電波検知用配線を有する請求項１または２記載の入力装置。
【請求項４】
前記制御回路は、前記複数の電波検知用配線の少なくとも一つにおいて電波を検出すると、前記スイッチ部におけるオン／オフ状態の検出の全部を制限する請求項３記載の入力装置。
【請求項５】
前記複数の電波検知用配線のそれぞれは、前記複数のスイッチ配線のいずれかに相関性を有するように形成され、
前記制御回路は、前記複数の電波検知用配線のいずれかにおいて電波を検出すると、電波が検出された電波検知用配線と相関性を有するスイッチ用配線に関するオン／オフ状態の検出のみを制限する請求項３記載の入力装置。
【請求項６】
スイッチ電極と前記スイッチ電極におけるオン／オフ状態を検知する制御回路とを接続するスイッチ配線部と、
前記スイッチ配線部とは独立し、かつ前記制御回路に接続される電波検知用配線部とが形成されていることを特徴とする基板。
【請求項７】
前記スイッチ電極は、前記基板の一方の面に配設され、前記スイッチ配線部と前記電波検知用配線部とは、前記基板の他方の面に配設される請求項６記載の基板。
【請求項８】
入力装置と、前記入力装置への入力に基づいてナビゲーション表示を行う表示装置とを備えるカーナビゲーション装置であって、
前記入力装置は、
スイッチ部と、
前記スイッチ部における静電容量の変化に基づいて前記スイッチ部におけるオン／オフ状態を判定する制御回路と、
前記スイッチ部と前記制御回路とを接続するスイッチ配線部と、
前記スイッチ部とは独立して設けられ前記制御回路に接続される電波検知用配線部とを備え、
前記制御回路は、前記電波検知用配線部において電波を検出すると、前記スイッチ部におけるオン／オフ状態の検出の少なくとも一部を制限する、カーナビゲーション装置。
【請求項９】
スイッチ部における静電容量の変化に基づいて前記スイッチ部におけるオン／オフ状態を判定する入力判定方法であって、
電波検知用配線部が、前記スイッチ部に接続されるスイッチ配線部とは独立して設けられており、
前記電波検知用配線部において電波が検出されると、前記スイッチ部におけるオン／オフ状態の検出の少なくとも一部を制限する入力判定方法。
【請求項１０】
スイッチ部における静電容量の変化に基づいて前記スイッチ部におけるオン／オフ状態を判定する入力判定プログラムであって、
電波検知用配線部が、前記スイッチ部に接続されるスイッチ配線部とは独立して設けられており、
前記電波検知用配線部において電波が検出されると、前記スイッチ部におけるオン／オフ状態の検出の少なくとも一部を制限する入力判定プログラム。
【発明の詳細な説明】
【技術分野】
【０００１】
本発明は、人の指が触れるか否かによる静電容量の変化により、スイッチ電極のオン／オフを検出する入力装置及びその関連技術に関するものである。
【背景技術】
【０００２】
例えば、特許文献１（特開平５−１７５８２０号公報）に示されているように、人の指が触れている状態（オン）と触れていない状態（オフ）とを、スイッチ電極の静電容量の変化に基づいて検出する入力装置が知られている。
【０００３】
以下、図９を参照しながら、従来の入力装置を概説する。図９は、従来の入力装置の原理説明図である。
【０００４】
まず、スイッチ電極１が指３に触れていないとき、スイッチ電極１はプリント基板等に実装されているため、ある静電容量Ｃ１を持つ。制御回路２は、スイッチ電極１が一定回数ｎの充放電時間Ｔ１を、例えば、タイマーのカウント値により計測する。
【０００５】
次に、図９に示すように、指３がスイッチ電極１に触れると、人体の静電容量Ｃ２が加わるので、スイッチ電極１の一定回数ｎの充放電時間Ｔ２が、上記時間Ｔ１よりも長くなる。したがって、基本的に充放電時間が予め設定された閾値よりも大きければ、オンと判定し、そうでなければオフと判定すればよい。
【０００６】
特許文献１は、さらに、パルス状のノイズが発生する際に、誤判定しないようにするため、３回程度キー入力（オンを示すもの）が連続して確認できる場合だけ、オンと判定する技術を開示する。
【０００７】
しかしながら、誤判定を招来する外乱要素は、パルス状のノイズだけとは限らない。即ち、典型的には、トラック等に搭載されたアマチュア無線機あるいはパーソナル無線機等が出力する電波（周波数は、５０ＭＨｚ〜９００ＭＨｚ程度）のように、連続する妨害電波が発生することがある。
【０００８】
特許文献１の技術によると、このような連続する妨害電波が発生する場合、誤判定しやすいという問題点がある。殊に、入力装置がカーナビゲーション装置に取り付けられる場合、無線機が取り付けられたトラック等が、カーナビゲーション装置が搭載される自動車の周囲を、併走することが多いので、このような連続する妨害電波の影響を受けやすく、それを防止する対策が求められている。
【特許文献１】特開平５−１７５８２０号公報
【発明の開示】
【発明が解決しようとする課題】
【０００９】
そこで本発明は、静電容量の変化に基づいてオン／オフを検知すると共に、連続する妨害電波が発生しても、誤検出が少ない入力装置を提供することを目的とする。
【課題を解決するための手段】
【００１０】
第１の発明に係る入力装置は、スイッチ部と、スイッチ部における静電容量の変化に基づいてスイッチ部におけるオン／オフ状態を判定する制御回路と、スイッチ部と制御回路とを接続するスイッチ配線部と、スイッチ配線部とは独立して設けられ制御回路に接続される電波検知用配線部とを備え、制御回路は、電波検知用配線部において電波を検出すると、スイッチ部におけるオン／オフ状態の検出の少なくとも一部を制限する。
【００１１】
この構成により、電波検知用配線部が設けられ、電波検知用配線部において電波が検出されると、スイッチ部におけるオン／オフ状態の検出の少なくとも一部を制限される。したがって、電波がスイッチ配線部にのり、人の手がスイッチ部に触れてもいないのに触れているように誤検出する確率を低減できる。
【００１２】
ここで、電波検知用配線部は、パルス状のノイズだけでなく連続的なノイズも検出できるから、例えば、トラックに搭載された無線機から送信される電波等に起因する誤検出にも対応できる。
【００１３】
第２の発明に係る入力装置では、制御回路は、スイッチ部における充放電時間の平均値に基づいてベースラインを定め、スイッチ部における充放電時間からベースラインを減じたデルタ値を求め、デルタ値が、予め設定されたフィンガースレッシュ値を上回るとき、オン状態を検出する。
【００１４】
この構成により、例えば、温度変化等の要因により、ベースラインが変化しても、その影響が除去され、誤検出の確率を低減できる。
【００１５】
第３の発明に係る入力装置では、スイッチ部は、複数のスイッチ電極を有し、スイッチ配線部は、複数のスイッチ電極のそれぞれを制御回路へ接続する複数のスイッチ配線を有し、電波検知用配線部は、互いに特性が異なる複数の電波検知用配線を有する。
【００１６】
この構成において、複数のスイッチ電極を設けることにより、多ビットのスイッチ入力が可能になるだけでなく、互いに特性が異なる複数の電波検知用配線を設けることにより、各種の電波障害に対応できる。
【００１７】
第４の発明に係る入力装置では、制御回路は、複数の電波検知用配線の少なくとも一つにおいて電波を検出すると、スイッチ部におけるオン／オフ状態の検出の全部を制限する。
【００１８】
この構成により、誤検出の可能性がある限り、オン／オフ状態の検出が制限されるため、誤検出の確率をより低減し、検出結果の信頼性を向上できる。
【００１９】
第５の発明に係る入力装置では、複数の電波検知用配線のそれぞれは、複数のスイッチ配線のいずれかに相関性を有するように形成され、制御回路は、複数の電波検知用配線のいずれかにおいて電波を検出すると、電波が検出された電波検知用配線と相関性を有するスイッチ用配線に関するオン／オフ状態の検出のみを制限する。
【００２０】
この構成により、相関性に基づいてオン／オフ状態の検出制限が実施される。即ち、電波が検出された電波検知用配線と相関性を有しないスイッチ用配線に関するオン／オフ状態の検出は、制限されず実施されることとなり、入力装置の応答性を保持できるし、相関性を有するスイッチ用配線に関するオン／オフ状態の検出は制限されて、誤検出の確率が低減される。
【発明の効果】
【００２１】
本発明によれば、電波検知用配線部を設けたことにより、誤検出する確率を低減でき、パルス状のノイズのみならず、連続的な電波にも対応できる。
【発明を実施するための最良の形態】
【００２２】
まず、本形態の具体的構成を説明するに先立ち、図５を参照しながら、連続する妨害電波が発生する場合の問題点等を説明する。
【００２３】
図５の横軸は、時刻ｔで共通しており、上段側から順に、上記一定回数ｎの充放電時間、充放電時間の時間平均値であるベースライン値、充放電時間からベースライン値を減じたデルタ値の、それぞれについて、時間ｔによる変化の例を示している。デルタ値については、予め一定のフィンガースレッシュ値が設定されており、デルタ値がフィンガースレッシュ値を超えると、オンと判定され、そうでなければ、オフと判定されることになっている。なお、このオン／オフ判定は、後述する制御回路が実行する。
【００２４】
ここで、図５に示されたいずれの時刻においても、スイッチ電極には人の指は触れておらず、したがって、常にオフの判定がなされねばならず、言い換えれば、少しでもオンの判定がなされれば、それは誤判定ということになる。
【００２５】
さて、上述したように、スイッチ電極には人の指は触れていない状態が継続しているとき、時刻ｔ１〜ｔ２及び時刻ｔ３〜ｔ４において、連続する妨害電波が発生してスイッチ電極と制御回路とを接続する配線上にのると、充放電時間が変化する。
【００２６】
その結果、時刻ｔ１以降において、ベースライン値は、略Ｗ字状に波打ち、そのため、デルタ値が時刻ｔ２〜ｔ３及び時刻ｔ４〜ｔ５の間で、フィンガースレッシュ値を超えてしまう。こうなると、従来技術では、時刻ｔ２〜ｔ３及び時刻ｔ４〜ｔ５の間は、人の指がスイッチ電極に触れてもいないのに、オンと誤判定されてしまうことになる。
【００２７】
本発明の骨子は、以下に詳述するように、電波検知用配線部を設け、電波の悪影響が及ぶおそれがある期間（図５では、例えば時刻ｔ１〜ｔ５等）において、オン／オフ判定の少なくとも一部を制限し、誤判定を抑制する点にある。
【００２８】
以下、図面を参照しながら、本発明の実施の形態を説明する。図１は、本発明の一実施の形態におけるカーナビゲーション装置の正面図である。
【００２９】
カーナビゲーション装置は、自動車に搭載されるものであり、いわゆる据え付け型あるいは後付型のいずれであっても良い。この自動車が道路を走行するとき、その周囲には、妨害電波の発生源である、無線機を装備するトラック（図示せず）が、順不同に併走することになる。さて、図１に示すように、このカーナビゲーション装置は、現在地及びその周辺を示すナビゲーション画面、燃費の履歴情報画面、あるいは、必要に応じてテレビジョン画面等を表示する表示パネル（典型的には、カラー液晶表示パネル）からなる表示装置１１と、表示装置１１の下部に配設される入力装置１２とを備える。
【００３０】
図１に示される例では、入力装置１２は、第１スイッチ電極１３、第２スイッチ電極１４、第３スイッチ電極１５、第４スイッチ電極１６の４つのスイッチ電極を有し、上述したように、これらのスイッチ電極１３〜１６のオン／オフ状態は、静電容量の変化に基づいて判定される。
【００３１】
図１に示される状態では、指３が第４スイッチ電極１６に触れているから、第４スイッチ電極１６の静電容量は、図９を参照しながら説明したように、基板の静電容量Ｃ１に人の静電容量Ｃ２を加えたものとなる。一方、その他のスイッチ電極１３、１４、１５は、基板の静電容量Ｃ１を持つ。
【００３２】
第１スイッチ電極１３、第２スイッチ電極１４、第３スイッチ電極１５、第４スイッチ電極１６のそれぞれに割り当てられる機能は、任意である。例えば、第１スイッチ電極１３は、「メニュー呼び出し」、第２スイッチ電極１４は、「ルート設定」、第３スイッチ電極１５は、「ルート変更」、第４スイッチ電極１６は、「現在地表示」とすることができる。また、スイッチ電極の個数や配置も図１に示されるものには限定されず、種々変更できる。
【００３３】
（基板の第１例）
図２は、図１の入力装置１２に使用されるプリント基板１７の裏面図である。この例では、図１のレイアウトにあわせて、細長い矩形のプリント基板１７が使用され、プリント基板１７の表面に所定間隔を隔てて、第１スイッチ電極１３、第２スイッチ電極１４、第３スイッチ電極１５、第４スイッチ電極１６がそれぞれ配設される。
【００３４】
図２に示すように、プリント基板１７の裏面中央部やや上側に、制御回路１８が実装される。制御回路１８は、本例では制御用ＩＣで構成されるが、これに限定されるものではない。
【００３５】
図２及び図４に示されるように、プリント基板１７の裏面には、次の４つのスイッチ配線からなるスイッチ配線部が形成される。即ち、長い第１スイッチ配線２１は、第１スイッチ電極１３と制御回路１８の第１入力端子５１とを接続する。短い第２スイッチ配線２２は、第２スイッチ電極１４と制御回路１８の第２入力端子５２とを接続する。短い第３スイッチ配線２３は、第３スイッチ電極１５と制御回路１８の第３入力端子５３とを接続する。長い第４スイッチ配線２４は、第４スイッチ電極１６と制御回路１８の第４入力端子５４とを接続する。
【００３６】
さらに、プリント基板１７の裏面には、上記スイッチ配線部とは独立して、次の２つの電波検知用配線からなる電波検知用配線部が形成される。即ち、長い第１電波検知用配線２５の一端は、制御回路１８の第５入力端子５５に接続され、他端はいずれにも接続されず自由端となっている。また、短い第２電波検知用配線２６の一端は、制御回路１８の第６入力端子５６に接続され、他端はいずれにも接続されず自由端となっている。勿論、電波検知用配線部の構成も図示したものに限定されるわけではない。
【００３７】
ここで、配線の形状及び寸法から（アンテナの特性として）、長い第１電波検知用配線２５は、第４スイッチ配線２４及び第１スイッチ配線２１に強い相関性を持ち、短い第２電波検知用配線２６は、第２スイッチ配線２２及び第３スイッチ配線２３に強い相関性を持つ。
【００３８】
以上において、プリント基板を前提として説明したが、スイッチ電極における静電容量が、人の指が触れる場合と触れない場合で、検知できる程度に変化するものであれば、セラミックス基板やフレキシブル基板とするなど、任意に変更できる。
【００３９】
（基板の第２例）
図２の例では、プリント基板１７は、図１の構成にあわせて、細長い矩形としているが、図３に示すように、プリント基板２７をほぼ正方形とするなど、基板の形状は、種々変更できる。図３の例では、プリント基板２７の裏面に位置する制御回路２８を中心として、略十字状をなすように、プリント基板２７の表面には、第１スイッチ電極２９、第２スイッチ電極３０、第３スイッチ電極３１、第４スイッチ電極３２、第５スイッチ電極３３からなる５つのスイッチ電極が配設される。
【００４０】
第１スイッチ電極２９、第２スイッチ電極３０、第３スイッチ電極３１、第４スイッチ電極３２は、それぞれ短い第１スイッチ配線３４、第２スイッチ配線３５、第３スイッチ配線３６、第４スイッチ配線３７により、制御回路２８に接続される。また、これらの短いスイッチ配線３４、３５、３６、３７に対して強い相関性を持つ電波検知用配線として、短い第１電波検知用配線３９が設けられる。
【００４１】
一方、第５スイッチ電極３３は、長い第５スイッチ配線３８により制御回路２８に接続される。また、この長い第５スイッチ配線３８に対して強い相関性を持つ電波検知用配線として、長い第２電波検知用配線４０が設けられる。
【００４２】
次に、図４を参照しながら、制御回路１８の内部構成について説明する。なお、図４の制御回路１８は、図２のプリント基板１７に対応するものであるが、図３の制御回路２８についても、若干の変更を加えれば、同様に適用できる点は、明らかであろう。したがって、制御回路２８についての詳細な説明は省略する。
【００４３】
図４に示すように、制御回路１８は、第１スイッチ配線２１〜第４スイッチ配線２４にそれぞれ接続される第１入力端子５１〜第４入力端子５４と、第１電波検知用配線２５と第２電波検知用配線２６にそれぞれ接続される第５入力端子５５と第６入力端子５６とを有する。
【００４４】
検知ブロック５７は、内部にカウンタ５８を有し、発振器５９が発生するクロック信号（例えば、周波数２４ＭＨｚ程度）に基づいて、第１入力端子５１〜第６入力端子５６に入力されるパルス列を計数することにより、該当する入力端子に関する一定回数ｎの充放電時間を計測し、その結果に基づいて、各デルタ値を求める。この点は、上述したとおりである。
【００４５】
また、検知ブロック５７は、内部バス６０に接続される。プログラムメモリ６１は、図６〜図８に示すフローチャートのいずれかに沿った制御プログラムを記憶し、ＣＰＵ６２は、この制御プログラムを実行しながら、内部バス６０を介し、検知ブロック５７を制御する。ＣＰＵ６２は、後述するオン／オフ判定の結果をバッファ６３に保存し、その他必要な情報をＳＲＡＭ６４に保存する。
【００４６】
（制御プログラムの第１例）
次に、図６を参照しながら、制御プログラムの第１例について説明する。まず、ステップ１にて、ＣＰＵ６２は、判定結果を保存するバッファ６３をクリアし、整数値ｎ、ｍをゼロとし、第１閾値ＴＨ１、第２閾値ＴＨ２をプログラムメモリ６１から読み込む。
【００４７】
ここで、第１閾値ＴＨ１は、第５入力端子５５（即ち、第１電波検知用配線２５）のフィンガースレッシュ値であり、第２閾値ＴＨ２は、第６入力端子５６（即ち、第２電波検知用配線２６）のフィンガースレッシュ値である。両閾値ＴＨ１、ＴＨ２は、経験に基づいて予め設定されている。また、整数値ｎは、第５入力端子５５のデルタ値が２回以上第１閾値ＴＨ１を超えたかどうかを判定するための回数を示し、整数値ｍは、第６入力端子５６のデルタ値が２回以上第２閾値ＴＨ２を超えたかどうかを判定するための回数を示す。
【００４８】
次に、ステップ２にて、ＣＰＵ６２は、検知ブロック５７に第１入力端子５１〜第４入力端子５４のそれぞれについて、デルタ値を求めるように指示しその結果を入力する。
【００４９】
ステップ３にて、ＣＰＵ６２は、第５入力端子５５のデルタ値を第１閾値ＴＨ１と大小比較し、第５入力端子５５のデルタ値が第１閾値ＴＨ１以下であれば、そのまま処理をステップ９へ移し、そうでなければ、処理をステップ５へ移す。
【００５０】
ステップ５では、ＣＰＵ６２は、整数値ｎに「１」を加え、ステップ６にて、整数値ｎが「１」を超えているかどうかチェックする。
【００５１】
もしそうなら、ＣＰＵ６２は、パルス状のノイズではない連続的な妨害電波が発生していると判定する。したがって、ＣＰＵ６２は、ステップ７にて整数値ｎを「０」に戻した上で、ステップ８にて、全てのスイッチ電極１３〜１６（第１入力端子５１〜第４入力端子５４からのもの）に関する入力に基づく、オン／オフ判定を一定時間禁止する。その上で、ＣＰＵ６２は、処理をステップ２へ戻す。これにより、連続的な妨害電波が発生している間（つまり誤判定を生じやすい期間）において、第１スイッチ電極１３〜第４スイッチ電極１６への入力が無視される結果となる。
【００５２】
ステップ６の結果が「否」であれば、ＣＰＵ６２は、ステップ９へ処理を移す。
【００５３】
ステップ９にて、ＣＰＵ６２は、第６入力端子５６のデルタ値を第２閾値ＴＨ２と大小比較し、第６入力端子５６のデルタ値が第２閾値ＴＨ２以下であれば、そのまま処理をステップ１５へ移し、そうでなければ、処理をステップ１１へ移す。
【００５４】
ステップ１１では、ＣＰＵ６２は、整数値ｍに「１」を加え、ステップ１２にて、整数値ｍが「１」を超えているかどうかチェックする。
【００５５】
もしそうなら、ＣＰＵ６２は、パルス状のノイズではない連続的な妨害電波が発生していると判定する。したがって、ＣＰＵ６２は、ステップ１３にて整数値ｍを「０」に戻した上で、ステップ１４にて、全てのスイッチ電極１３〜１６（第１入力端子５１〜第４入力端子５４からのもの）に関する入力に基づく、オン／オフ判定を一定時間禁止する。その上で、ＣＰＵ６２は、処理をステップ２へ戻す。これにより、連続的な妨害電波が発生している間（つまり誤判定を生じやすい期間）において、第１スイッチ電極１３〜第４スイッチ電極１６への入力が無視される結果となる。
【００５６】
ステップ１２の結果が「否」であれば、ＣＰＵ６２は、ステップ１５へ処理を移す。
【００５７】
ステップ１５では、検知ブロック５７が第１入力端子５１〜第４入力端子５４（即ち、第１スイッチ電極１３〜第４スイッチ電極１６）についてのデルタ値を求め、ＣＰＵ６２は、各スイッチ電極に関するオン／オフ判定を行い、ステップ１６にて、その結果をバッファ６３へ保存する。以下、ステップ１７にて処理を終了すべき場合を除いて、ＣＰＵ６２は、ステップ２以降の処理を繰り返す。
【００５８】
（制御プログラムの第２例）
図６に示した制御プログラムの第１例では、ＣＰＵ６２は、第５入力端子５５または第６入力端子５６の少なくとも一つにおいて電波が検出されると、第１入力端子５１〜第４入力端子５４の全てにおけるオン／オフ状態の判定を禁止する。
【００５９】
しかしながら、図２に示すように、第１スイッチ配線２１と第４スイッチ配線２４は、第１電波検知用配線２５と強い相関性を有し、第２スイッチ配線２２と第３スイッチ配線２３とは、第２電波検知用配線２６と強い相関性を有するから、これらの相関性を考えると、第５入力端子５５において第１閾値ＴＨ１を超える状態となっても、第６入力端子５６において第２閾値ＴＨ２を超えていなければ、高い確率で第２スイッチ配線２２及び第３スイッチ配線２３については、正常なオン／オフ判定をなし得ると言うことができる。
【００６０】
同様に、第６入力端子５６において第２閾値ＴＨ２を超える状態となっても、第５入力端子５５において第１閾値ＴＨ１を超えていなければ、高い確率で第１スイッチ配線２１及び第４スイッチ配線２４については、正常なオン／オフ判定をなし得ると言うことができる。
【００６１】
以上を踏まえて、図７に示す第２例では、第１例のステップ８に相当する、ステップ２８において、第１入力端子５１及び第４入力端子５４のみについてオン／オフ判定を禁止し、第１例のステップ１４に相当する、ステップ３４において、第２入力端子５２及び第３入力端子５３のみについてオン／オフ判定を禁止している。
【００６２】
したがって、第１例のステップ１５に相当する、ステップ３５では、禁止されている入力端子に関するオン／オフ判定は実施されないが、禁止されていない入力端子に関するオン／オフ判定は実施される。
【００６３】
即ち、電波が検出された電波検知用配線と相関性を有しないスイッチ用配線に関するオン／オフ状態の検出が実施されるので、第１例よりも入力装置の応答性を保持できる。勿論、第１例と同様に、誤検出のおそれがあるオン／オフ状態は禁止されるから、誤検出の確率が低減される。なお、他の点は、第１例と同様である。
【００６４】
（制御プログラムの第３例）
図６及び図７に示した第１例及び第２例では、第１入力端子５１〜第４入力端子５４に関する処理を第５入力端子５５及び第６入力端子５６に関する処理に先行して実施している。しかしながら、第２例の考え方を踏襲しながら、この処理順を逆転させることもできる。
【００６５】
即ち、図８に示すように、ステップ４２以下において、第５入力端子５５に関する処理を行い、必要があれば、第５入力端子５５と相関性を有する第１入力端子５１と第４入力端子５４に関する判定を一定時間禁止し、また、ステップ４８以下において、第６入力端子５６に関する処理を行い、必要があれば、第６入力端子５６と相関性を有する第２入力端子５２と第３入力端子５３に関する判定を一定時間禁止しておく。
【００６６】
しかる後に、ステップ５４にて、ＣＰＵ６２は、第１入力端子５１〜第４入力端子５４のうち、禁止されていないものだけを処理し、それに基づいて、禁止されていない範囲だけで、オン／オフ判定し（ステップ５５）結果を保存する（ステップ５６）。
【００６７】
即ち、ステップ４７及びステップ５３の両方を通過するときは、オン／オフ判定は全く実施されない。ステップ４７のみを通過しステップ５３を通過しないときは、第２入力端子５２と第３入力端子５３に関する判定のみが実施される。ステップ５３のみを通過しステップ４７を通過しないときは、第１入力端子５１と第４入力端子５４に関する判定のみが実施される。ステップ４７及びステップ５３のいずれも通過しないときは、全ての入力端子５１〜５４に関する判定が実施される。
【００６８】
このようにすれば、第１入力端子５１から第４入力端子５４のうち、少なくとも一部であって、どっちみち使用できないスキャン処理を省略できる。言い換えれば、無駄な処理を削減して、応答速度を向上でき、好適である。
【産業上の利用可能性】
【００６９】
本発明は、例えば、カーナビゲーション装置の入力部等において好適に利用できる。
【図面の簡単な説明】
【００７０】
【図１】本発明の一実施の形態におけるカーナビゲーション装置の正面図
【図２】本発明の第１例におけるプリント基板の裏面図
【図３】本発明の第２例におけるプリント基板の裏面図
【図４】本発明の一実施の形態における制御回路のブロック図
【図５】本発明に係る連続する妨害電波が発生する場合を示すグラフ
【図６】本発明の第１例における入力判定プログラムのアルゴリズムを示すフローチャート
【図７】本発明の第２例における入力判定プログラムのアルゴリズムを示すフローチャート
【図８】本発明の第３例における入力判定プログラムのアルゴリズムを示すフローチャート
【図９】従来の入力装置の原理説明図
【符号の説明】
【００７１】
１  スイッチ電極
２、１８、２８  制御回路
３  指
１０  カーナビゲーション装置
１１  表示装置
１２  入力装置
１３〜１６、２９〜３３  スイッチ電極
２１〜２４、３４〜３８  スイッチ配線
１７、２７  プリント基板
２５、２６、３９、４０  電波検知用配線
５１〜５６  入力端子
５７  検知ブロック
５８  カウンタ
５９  発振器
６０  内部バス
６１  プログラムメモリ
６２  ＣＰＵ
６３  バッファ
６４  ＳＲＡＭ
【図１】
2008092330.tif 000003
【図２】
2008092330.tif 000004
【図３】
2008092330.tif 000005
【図４】
2008092330.tif 000006
【図５】
2008092330.tif 000007
【図６】
2008092330.tif 000008
【図７】
2008092330.tif 000009
【図８】
2008092330.tif 000010
【図９】
2008092330.tif 000011